(57)【要約】【課題】架空送電線路への施工時のコストを下げることができ、ジャンパ線の寿命を向上させることができるジャンパ装置を提供する。【解決手段】一端部が、各がいし装置２の電線引留耐張装置３への接続端部に接続された各支持装置７の他端部に、ジャンパ線５の中間部分１０の弛みが極力少なくなるように、ジャンパ線５のジャンパスペーサ６を点吊りし、各支持装置７の点吊り部分のやや上方を水平材８で連結した逆台形状の構成とする。各支持装置７の他端部にジャンパ線５を点吊りする場合、ジャンパ線５の一方の電線引留耐張装置３の端と一方の支持装置７への点吊り部分との間、この点吊り部分と他方の支持装置７への点吊り部分との間、この点吊り部分と他方の電線引留耐張装置３の端との間の三点間で張力的に釣り合った状態に点吊りする。【選択図】  図１
2004180348.tif 000002
【特許請求の範囲】
【請求項１】
架空送電線を中継する引留鉄塔腕金部の両側に、各々がいし装置を介して接続された電線引留耐張装置の間を電気的に接続するジャンパ線の補強用のジャンパ装置において、
前記ジャンパ線が自由に運動するのを許容しつつ前記ジャンパ線を所定の複数の点で吊架する水平材と、
前記水平材を前記電線引留耐張装置に固定する少なくとも一対の支持装置と
を備えたことを特徴とするジャンパ装置。
【請求項２】
前記水平材は、前記ジャンパ線を両端で吊架する構成を有する
ことを特徴とする請求項１に記載のジャンパ装置。
【請求項３】
前記水平材は、前記ジャンパ線を両端および中央で吊架する構成を有する
ことを特徴とする請求項１に記載のジャンパ装置。
【発明の詳細な説明】
【０００１】
【発明の属する技術分野】
本発明は、架空送電線を中継する鉄塔において、その電線に接続されるジャンパ線の補強装置であるジャンパ装置に関し、特に吊架式のジャンパ装置に関する。
【０００２】
【従来の技術】
図３に示す吊架式のジャンパ装置は、架空送電線４を中継するための鉄塔上部に設けられた引留鉄塔腕金部１の両側に、各々がいし装置２を介して接続された電線引留耐張装置３の間を電気的に接続するジャンパ線５を補強する装置であり、２つの支持装置７と、水平材１２とから構成されている。
【０００３】
なお、ジャンパ線５は、超高圧送電線路の場合、全長が１５〜２０ｍ程度の複数本の素導体で構成されるので、素導体同士の接触を避けるため、素導線間が複数のジャンパスペーサ６で把持されている。
【０００４】
ジャンパ装置の各支持装置７は、その一端部が、がいし装置２の端部に取り付けられ、他端部が水平材１２の両端部に取り付けられており、各支持装置７と水平材１２とで逆台形状を成している。その水平材１２には、Ｈ型鋼や鋼管が用いられ、この全長に渡り所定間隔でジャンパ線把持クランプ１１が設けられている。このクランプ１１で、ジャンパ線５の全長の１／２以上に渡る中間部分１０を水平材１２に添架固定し、これによって、ジャンパ線５の中間の弛みを無くし、ジャンパ線５全体の弛みを必要最小限に抑えている。
【０００５】
このようにジャンパ装置を用いることによって、電気的な絶縁離隔距離確保のために必要となる鉄塔の塔体側および下相の引留鉄塔腕金部との離隔距離を小さくすることができる。
【０００６】
また、ジャンパ装置は、水平材１２と引留鉄塔腕金部１との離隔距離が電圧階級によって規定されており、これを満足するように構成されている。さらに、ジャンパ装置は、ジャンパ線５の中間部分１０を水平材１２に添架固定する構成を採るため、ジャンパ線５の自重に耐えうる機械的強度を満たすと共に、ジャンパ線５の横揺れ振動、並びに氷雪付着状態での風による大きな揺れであるギャロッピング振動時に発生する動的加重を水平材１２で分担するに必要な機械的強度を満たすように構成されている。また、超高圧送電線路の場合は、各がいし装置２の全長が長くなるので、支持装置７の吊り点間隔が長くなる。これらの理由で、超高圧送電線路用のジャンパ装置においては、水平材１２の全長が１０ｍ以上、自重が３００Ｋｇ以上となる。
【０００７】
このような支持装置と水平材を有するジャンパ装置が、実公昭５９−１３８９号公報（特許文献１参照）並びに実公昭５９−１３９０号公報（特許文献２参照）に記載されている。双方の公報とも、各ジャンパ装置は、横揺れ振動による支持装置のがいし装置への固定部分の破損を防止することを目的とした構成である。
【０００８】
【特許文献１】
実公昭５９−１３８９号公報
【特許文献２】
実公昭５９−１３９０号公報
【０００９】
【発明が解決しようとする課題】
しかし、従来のジャンパ装置においては、超高圧送電線路用の場合、水平材１２の全長が長く自重が重くなるため、運搬並びに取付作業に多大な労力を要する。このため、施工時のコストが高くなるという問題がある。
【００１０】
また、水平材１２にジャンパ線５の中間部分１０が添架固定されているので、ジャンパ線５における水平材１２の両端部分のみが自由に動くことになる。このため、ジャンパ線５の横揺れ振動やギャロッピング振動時には、ジャンパ線５における水平材１２の両端部分に振動等の曲げ応力が集中し、この部分の疲労が早くなってジャンパ線５の寿命が低下するという問題がある。
【００１１】
本発明は、かかる点に鑑みてなされたものであり、架空送電線路への施工時のコストを下げることができ、ジャンパ線の寿命を向上させることができるジャンパ装置を提供することを目的とする。
【００１２】
【課題を解決するための手段】
上記課題を解決するために、本発明のジャンパ装置は、架空送電線を中継する引留鉄塔腕金部の両側に、各々がいし装置を介して接続された電線引留耐張装置の間を電気的に接続するジャンパ線の補強用のジャンパ装置において、前記ジャンパ線が自由に運動するのを許容しつつ前記ジャンパ線を所定の複数の点で吊架する水平材と、前記水平材を前記電線引留耐張装置に固定する少なくとも一対の支持装置とを備えたことを特徴としている。
【００１３】
また、前記水平材は、前記ジャンパ線を両端で吊架する構成を有することを特徴としている。
また、前記水平材は、前記ジャンパ線を両端および中央で吊架する構成を有することを特徴としている。
【００１４】
【発明の実施の形態】
以下、本発明の実施の形態について、図面を参照して詳細に説明する。
【００１５】
（実施の形態）
図１に示す本実施の形態に係るジャンパ装置は、一端部が、各がいし装置２の電線引留耐張装置３への接続端部に接続された各支持装置７の他端部に、ジャンパ線５の中間部分１０の弛みが極力少なくなるように、ジャンパ線５のジャンパスペーサ６を点吊りし、各支持装置７の点吊り部分のやや上方を水平材８で連結した逆台形状の構成となっている。
【００１６】
但し、各支持装置７の他端部にジャンパ線５を点吊りする場合、ジャンパ線５の一方の電線引留耐張装置３の端と一方の支持装置７への点吊り部分との間、この点吊り部分と他方の支持装置７への点吊り部分との間、この点吊り部分と他方の電線引留耐張装置３の端との間の三点間で張力的に釣り合った状態に点吊りする。
【００１７】
このような構成のジャンパ装置においては、従来のように水平材１２の全長にジャンパ線把持クランプ１１でジャンパ線５を添架固定する必要が無く、ジャンパ線５を上記三点間が釣り合った状態に各支持装置７で点吊りし、更に各支持装置７を水平材８で連結するようにしたので、ジャンパ線５の自重をジャンパ線５自体の架線張力と支持装置７とで分担させることができ、水平材８へのジャンパ線５の自重分担をなくすことができる。従って、本ジャンパ装置の水平材８においては、その機械的強度の分担を小さくすることができる。また、従来のようなジャンパ線把持クランプ１１も不要なので、その分、水平材８の簡易・軽量化並びに低コスト化を図ることができる。
【００１８】
このように水平材８を軽量とすることができるので、従来よりも水平材８の運搬並びに取付作業が容易となり、施工時の低コスト化を図ることができる。
【００１９】
また、ジャンパ線５を上記三点間が釣り合った状態に各支持装置７で点吊りするので、ジャンパ線５の全長に渡って自由な動きが可能となり、ジャンパ線５の横揺れ振動やギャロッピング振動等の曲げ応力が部分的に集中し、その部分の疲労が早まるといったことを避けることができ、ジャンパ線５の寿命を長くすることができる。
【００２０】
また、水平材８は、運搬しやすいように分割タイプとしてもよく、長さ調整可能なタイプとしてもよく、上記のように支持装置７を連結できれば、特に規定はない。
【００２１】
図２に示すように、超高圧送電線路の場合に、各がいし装置２の全長が長くなって支持装置７の吊り点間隔が長くなる場合は、ジャンパ線５と水平材８とが振動等で接触しないように、水平材８の中央部分をジャンパ線点吊り部９で、ジャンパ線５に点吊りする。この点吊りによって、強風時の横揺れ角も合わせて抑制することができる。また、この点吊りは、２カ所以上としても良い。
【００２２】
【発明の効果】
以上説明したように、本発明によれば、ジャンパ線が自由に運動するのを許容しつつジャンパ線を所定の複数の点で吊架する水平材と、水平材を電線引留耐張装置に固定する少なくとも一対の支持装置とを備えてジャンパ装置を構成したので、ジャンパ線の全長に渡って自由な動きが可能となり、ジャンパ線の横揺れ振動の曲げ応力が部分的に集中し、その部分の疲労が早まるといったことを避けることができ、ジャンパ線の寿命を長くすることができる。
【００２３】
また、ジャンパ線の自重をジャンパ線自体の架線張力と支持装置とで分担させることができる。これによって、水平材へのジャンパ線の自重分担をなくすことができるので、水平材の機械的強度の分担を小さくすることができ、水平材を軽量とすることができる。従って、水平材の運搬並びに取付作業が容易となり、施工時の低コスト化を図ることができる。
【図面の簡単な説明】
【図１】本発明の実施の形態に係るジャンパ装置の構成を示す図である。
【図２】本発明の実施の形態に係るジャンパ装置の他の構成を示す図である。
【図３】従来のジャンパ装置の構成を示す図である。
【符号の説明】
１  引留鉄塔腕金部
２  がいし装置
３  電線引留耐張装置
４  架空送電線
５  ジャンパ線
６  ジャンパスペーサ
７  支持装置
８，１２  水平材
９  ジャンパ線点吊り部
１０  ジャンパ線中間部分
１１  ジャンパ線把持クランプ
【図１】
2004180348.tif 000003
【図２】
2004180348.tif 000004
【図３】
2004180348.tif 000005